(57)【特許請求の範囲】
【請求項１】
支持体に収納体を開閉可能に取り付け、該収納体側に左右一対のラッチを移動可能に保持するハウジングを設けると共に、該左右の各ラッチを付勢ばね圧で支持体側に形成されたロック孔方向に付勢して、操作ハンドルの揺動操作で、上記左右の各ラッチの先端部を支持体側のロック孔から付勢ばね圧に抗して後退させるように構成した収納体のサイドロック装置において、上記左右の各ラッチ又は当該各ラッチが接する部分に傾斜カム面を形成すると共に、操作ハンドルの揺動操作から得られる回転力を連結バーを介して左右の各ラッチに伝達して、連結バーによる左右の各ラッチの回転に伴う上記傾斜カム面を作用で、左右の各ラッチの先端部を支持体側のロック孔から後退させるように構成したことを特徴とする収納体のサイドロック装置。
【発明の詳細な説明】
【０００１】
【発明の属する技術分野】
本発明は、例えば、自動車のインストルメントパネル側に開閉可能に取り付けられるグローブボックスの如き、収納体のサイドロック装置の改良に関するものである。
【０００２】
【従来の技術】
従来のこの種サイドロック装置として、特開平４−６００７９号公報に示すものが存する。
該従来のサイドロック装置は、具体的には図示しないが、グローブボックス側に固定されるハウジング内に左右一対のリンクレバーを回転可能に軸支して、該左右の各リンクレバーの上端部側にインストルメントパネルに形成されたロック孔を出入する一対のラッチを設けると共に、左右の各リンクレバーの下端部間に上記一対のラッチを常時ロック孔内に係入する方向に付勢する引張コイルばねを装着する構成となっている。
【０００３】
そして、グローブボックスの閉塞状態にあっては、左右の各リンクレバーの上端部に設けられているラッチの先端部がインストルメントパネル側の対応する左右のロック孔内に係入して、グローブボックスをその閉塞位置にロックすることとなるが、このロック状態を解除してグローブボックスを開放する場合には、操作ハンドルの揺動操作で、左右一対のリンクレバーの中間部に対向して設けられている各突出腕を引張コイルばねの付勢ばね圧に抗して押し下げると、左右の各リンクレバーが付勢方向とは逆方向に回転して、ラッチの先端部をロック孔から後退させるので、これにより、グローブボックスを開放方向へ移動させることが可能となる。
【０００４】
【発明が解決しようとする課題】
従って、従来のサイドロック装置にあっては、グローブボックスの両サイドにおいて、そのロック状態とロック解除状態が簡単に得られる利点はあるが、反面、グローブボックスやインストルメントパネルの形状設定により、ラッチの出没量を左右両サイドで変える必要が生じたような場合には、ラッチの長さは勿論であるが、これに応じて、リンクレバーやハウジングの大きさをも変更しなければならなくなるので、これに伴い、グローブボックス自体の収納スペースが制限される恐れがあった。
【０００５】
【課題を解決するための手段】
本発明は、斯かる従来のサイドロック装置が抱える課題を有効に解決するために開発されたもので、支持体に収納体を開閉可能に取り付け、該収納体側に左右一対のラッチを移動可能に保持するハウジングを設けると共に、該左右の各ラッチを付勢ばね圧で支持体側に形成されたロック孔方向に付勢して、操作ハンドルの揺動操作で、上記左右の各ラッチの先端部を支持体側のロック孔から付勢ばね圧に抗して後退させるように構成した収納体のサイドロック装置において、上記左右の各ラッチ又は当該各ラッチが接する部分に傾斜カム面を形成すると共に、操作ハンドルの揺動操作から得られる回転力を連結バーを介して左右の各ラッチに伝達して、連結バーによる左右の各ラッチの回転に伴う上記傾斜カム面を作用で、左右の各ラッチの先端部を支持体側のロック孔から後退させる構成を採用した。
【０００６】
依って、本発明にあって、支持体や収納体の形状設定により、ラッチの出没量を左右両サイドで変更する必要が生じたような場合には、従来のように、装置自体を大幅に改変しなくとも、傾斜カム面やラッチの長さを変更するだけで、その要請に応えることができるので、極めて合理的となる。しかも、横軸方向に対して長さを変更するだけなので、ハウジングの大きさを変更する必要もない。
【０００７】
【発明の実施の形態】
以下、本発明を図示する好適な実施の形態に基づいて詳述すれば、該実施の形態に係るサイドロック装置も、自動車のインストルメントパネルに開閉可能に取り付けられるグローブボックスを対象とするもので、そのボックス本体はインストルメントパネルの空所に対して回動可能に軸支されることを前提とする。
【０００８】
そして、本実施の形態にあっては、図１に示す如く、上記ボックス本体Ｂの前面壁の中央部に孔縁に軸受片２を有する貫通孔１を穿設して、該貫通孔１内にその表面側から操作ハンドル３を後述する連結バー７を介して揺動可能に軸支する一方、同前面壁の裏面側に左右一対のラッチ５・当該左右の各ラッチ５を付勢する圧縮コイルばね６及び左右の各ラッチ５を連結する連結バー７を収納するハウジング８をネジ（図示せず）等を介して一体的に設ける構成となっている。尚、操作ハンドル３の裏面には、連結バー７に係止する係止片４を形成するものとする。
【０００９】
上記左右の各ラッチ５は、合成樹脂で一体成形されて、図示する如く、先端にテーパー面５ａを付与した棒状体を呈し、その後端部側に連結バー７の端部７ｂを係入する係入孔１０を形成した拡大フランジ９を連設して、該拡大フランジ９の外面に後述するハウジング８の第１ブロック１６の上部切欠部１６ａに接触する傾斜カム面１２を一体に有する作動片１１と、ハウジング８の第１ブロック１６の下部切欠部１６ｂに回転しながら当接するストッパー片１３を設けると共に、拡大フランジ９の内面に連結バー７の途中を支持する断面Ｃ字状のガイド筒１４を設けて、上記圧縮コイルばね６の付勢ばね圧で、インストルメントパネル側に形成されたロック孔方向に付勢される構成となっている。尚、各圧縮コイルばね６は、上記ガイド筒１４上に外嵌された状態をもって、後述するハウジング８の第１ブロック１６と第２ブロック１７間に装着されることとなる。
【００１０】
連結バー７は、金属線材で成形されて、その中央部７ａの一部が上方に連続して折曲されると共に、両端部７ｂも上方に連続して折曲されて、折曲された中央部７ａは操作ハンドル３の裏面に当接しながら、その両側に上記した操作ハンドル３側の係止片４が係止し、折曲された両端部７ｂの先端が上記した拡大フランジ９の係入孔１０に係入されることとなるが、この連結バー７は、後述するハウジング８の第３ブロック１８に装着されるダブルトーションばね１５の付勢ばね圧で、揺動可能に軸支される操作ハンドル３を非操作状態にガタなく付勢する構成となっている。
【００１１】
ハウジング８は、合成樹脂で左右対称に一体成形されて、図２にも示す如く、その中央部に上記ダブルトーションばね１５を装着する第３ブロック１８を設け、両側部に一定の間隔をおいて第１ブロック１６と第２ブロック１７を設けて、該各第１・第２ブロック１６・１７間に上記ラッチ５のガイド筒１４上に外嵌された圧縮コイルばね６を装着することとなっているが、特に、各第１ブロック１６に関しては、その上部切欠部１６ａに上記したラッチ５の作動片１１に形成された傾斜カム面１２を接触させて、操作ハンドル３の揺動操作で、各ラッチ５が回転する過程で、各ラッチ５の先端部をインストルメントパネル側に形成されたロック孔から後退させ、且つ、下部切欠部１６ｂに上記したストッパー片１３を当接させることにより、操作ハンドル３の揺動操作範囲を規制する構成となっている。
【００１２】
依って、斯かる構成のサイドロック装置の下で、ボックス本体Ｂが閉塞状態にある時は、図３・図４に示す如く、圧縮コイルばね６の付勢ばね圧で、左右一対のラッチ５の先端部が、ハウジング８の側孔８ａとボックス本体Ｂの両側面壁に形成されている通孔Ｂａを経て、インストルメントパネルＰのロック孔Ｐａに係入して、その閉塞位置で、ボックス本体Ｂはロックされることとなる。
【００１３】
そして、このロックされたボックス本体Ｂを開放方向に回動させる場合には、図５・図６に示す如く、操作ハンドル３をダブルトーションばね１５の付勢ばね圧に抗して揺動操作すると、これと連動して、連結バー７が回転するので、当該連結バー７に係入孔１０を介して連結されている左右の各ラッチ５も、そのストッパー片１３がハウジング８の第１ブロック１６の下部切欠部１６ｂに当接するまで、同方向に回転することとなるが、この時には、左右の各ラッチ５の作動片１１側の傾斜カム面１２がハウジング８の第１ブロック１６の上部切欠部１６ａ縁に摺接して、左右の各ラッチ５をその圧縮コイルばね６の付勢ばね圧に抗して強制的に後退させることとなる。
【００１４】
すると、左右の各ラッチ５の強制後退により、左右の各ラッチ５の先端部もインストルメントパネルＰの対応するロック孔Ｐａから後退するので、後は、ボックス本体Ｂが自動的に開放位置まで回動することとが許容されるが、ボックス本体Ｂが開放方向に回動した後に、操作ハンドル３の操作を解除すると、圧縮コイルばね６の付勢ばね圧で、連結バー７も逆方向に回転して、操作ハンドル３をダブルトーションばね１５の付勢ばね圧で非操作状態にガタなく復帰させると同時に、左右の各ラッチ５をも逆方向に回転させながら、その先端部を圧縮コイルばね６の付勢ばね圧で再びロック孔Ｐａ方向に突出させることとなる。
【００１５】
逆に、開放されたボックス本体Ｂを閉塞状態に戻す場合には、そのまま、ボックス本体ＢをインストルメントパネルＰの空所内に押し上げることとなるが、この時には、ロック孔Ｐａ方向に突出する左右の各ラッチ５の先端に付与されたテーパー面５ａが、ロック孔Ｐａが形成されているインストルメントパネルＰ面に当接して、左右の各ラッチ５が圧縮コイルばね６のばね圧に抗して後退しながら移動し、再び、対応するロック孔Ｐａに係入するので、これにより、ボックス本体Ｂが閉塞状態におかれることとなる。尚、この場合には、操作ハンドル３の操作とは無関係に、左右の各ラッチ５のみが連結バー７上で後退するだけであるから、操作ハンドル３自体が操作状態におかれることがないので、見栄えも向上する。
【００１６】
従って、本実施の形態に係るサイドロック装置に下では、支持体たるインストルメントパネルＰや収納体たるボックス本体Ｂの形状設定により、ラッチ５の出没量を左右両サイドで変更する必要が生じたような場合には、従来のように、装置自体を大幅に改変しなくとも、傾斜カム面１２やラッチ５の長さを変更するだけで、その要請に応えることができるので、極めて合理的であると共に、横軸方向に対する長さを変更することとなるので、ハウジング８の大きさを変更する必要もない。
【００１７】
尚、本実施の形態にあっては、左右の各ラッチ５側に回転方向に沿う傾斜カム面１２を形成して、該傾斜カム面１２をハウジング８の第１ブロック１６の上部切欠部１６ａに摺接させたものであるが、逆に、ハウジング８の第１ブロック１６側に傾斜カム面１２を形成して、該傾斜カム面１２を左右の各ラッチ５側の部位に摺接させることにより、左右の各ラッチ５を後退させるように構成することも、実施に応じ任意である。
【００１８】
【発明の効果】
以上の如く、本発明は、上記構成の採用により、支持体や収納体の形状設定により、ラッチの出没量を左右両サイドで変更する必要が生じたような場合には、従来のように、装置自体を大幅に改変しなくとも、傾斜カム面やラッチの長さを変更するだけで、その要請に応えることができるので、極めて合理的となる。しかも、横軸方向に対して長さを変更するだけなので、ハウジングの大きさを変更する必要もない。
【図面の簡単な説明】
【図１】本発明の実施の形態に係るサイドロック装置を分解して示す斜視図である。
【図２】ハウジングの内部を示す斜視図である。
【図３】ボックス本体の閉塞ロック状態を示す説明図である。
【図４】ボックス本体の閉塞ロック状態を示す要部斜視図である。
【図５】ボックス本体の閉塞ロックを解除した状態を示す説明図である。
【図６】ボックス本体の閉塞ロックを解除した状態を示す要部斜視図である。
【符号の説明】
Ｐ      インストルメントパネル（支持体）
Ｐａ    ロック孔
Ｂ      ボックス本体（収納体）
Ｂａ    通孔
１      貫通孔
２      軸受片
３      操作ハンドル
４      係止片
５      ラッチ
５ａ    テーパー面
６      圧縮コイルばね
７      連結バー
７ａ    中央部
７ｂ    端部
８      ハウジング
８ａ    側孔
９      拡大フランジ
１０    係入孔
１１    作動片
１２    傾斜カム面
１３    ストッパー片
１４    ガイド筒
１５    ダブルトーションばね
１６    第１ブロック
１６ａ  上部切欠部
１６ｂ  下部切欠部
１７    第２ブロック
１８    第３ブロック
【図１】
0003811626.tif 000002
【図２】
0003811626.tif 000003
【図３】
0003811626.tif 000004
【図４】
0003811626.tif 000005
【図５】
0003811626.tif 000006
【図６】
0003811626.tif 000007